(57)【要約】【課題】使い捨てであるが材質が生分解されるため自然環境に有害でなく、製造工程で耐水性が優れて水分吸収性が低く、さらに人体に有益な使い捨て容器を提供する。【解決手段】容器１を、パーム果房の殻房の繊維質粉末（20）を分解性食物繊維粉末（10）としてこれを主成分とする原料により形成する。容器（１）を形成する原料に石英斑岩粉末（30）とトルマリン粉末（40）を含有する。パーム果房の殻房を有効利用することができ、さらにパーム果房の殻房の繊維質粉末20に残存する油分によって容器（１）の耐水性を向上することなどができる。さらに、石英斑岩粉末（30）によって、遠赤外線が発生して放出し、また、トルマリン粉末（50）によって、人体に有益なマイナスイオンを発生する。【選択図】図４ａ
0003121383.tif 000002
【実用新案登録請求の範囲】
【請求項１】
底面部と該底面部の縁側から立設し平面が環状の周面部とを一体に形成した容器を、パーム果房の殻房の繊維質粉末を含む分解性食物繊維粉末を加圧成形して形成したことを特徴とする生分解性使い捨て容器。
【請求項２】
前記分解性食物繊維粉末を前記パーム果房の殻房の繊維質粉末のみによって形成することを特徴とする請求項１記載の生分解性使い捨て容器。
【請求項３】
前記分解性食物繊維粉末に石英斑岩粉末を含んでいることを特徴とする請求項１または２記載の生分解性使い捨て容器。
【請求項４】
前記分解性食物繊維粉末にトルマリン粉末を含んでいることを特徴とする請求項１〜３のいずれか１項に記載の生分解性使い捨て容器。
【請求項５】
前記分解性繊維質粉末のサイズは50メッシュ乃至250メッシュのサイズであることを特徴とする請求項１〜４のいずれか１項に記載の生分解性使い捨て容器。
【考案の詳細な説明】
【技術分野】
【０００１】
本考案は、コップや皿（トレー）或いはかご等の生分解性使い捨て容器に関するものである。
【背景技術】
【０００２】
従来の技術の生分解性使い捨て容器として、特許文献１の使い捨て容器の製造方法は、使い捨て容器を製造するとき、鋸屑粉と卵白を1次混合した後、ジャガイモ澱粉とメタ燐酸ナトリウムを2次混合し、成型機で圧縮成型した後、温蒸気で加熱蒸した後、乾燥工程を通って硬化剤とエポキシ樹脂を容器の内外面に噴射塗布し、乾燥して製造する方法である。この製造方法は非常に複雑な工程であり、製造工程で鋸屑の洗浄及び乾燥工程の時間が長く、コーティングが必要であるため製造時間がさらに長くなる。また、このように製造された使い捨て容器は丈夫でなく簡単に破損するため実際の使用に適合しにくい問題がある。
【０００３】
また、特許文献２の天然材料を利用した容器は、外観を包む紙と籾殻や鋸屑など天然資料と、水が漏れないように補正する銀箔紙で構成される。
【０００４】
また、特許文献３の天然材料を利用したプラスティック代替用品の製造方法は、澱粉と水が混合加熱され形成された糊に、籾殻粉末又は藁粉末又は鋸屑粉末と水とロジン又は天然樹脂が混合され成型機で成型される製造方法である。その容器の構成及び作用は図1aと図1bで概略に図示されたように、生分解性使い捨て容器１は生分解性食物繊維粉末２を原料としてこれを成型して形成した技術である。（但し、図1aと図1bでの各部分の拡大図であるM1、M2は全部その内部の中心部の構成を概略に図示したのである。）
また、特許文献４の生分解性材料造成物、この造成物から製造された生分解性材料材容器及びこの生分解性材料材容器の製造方法は、籾殻を主成分とする食物原料の粉末と、バインダーを含む生分解性物質を混合した混合剤で構成される生分解性材料造成物に関する物であり、前記食物原料は籾殻に竹、サトウキビ、藁、パルプ及びそれらの2種以上の混合原料から選択された食物繊維が配合された物である。その容器の構成は図1aと図1bで概略に図示されたのと同じ技術である。
【０００５】
また、特許文献５の使い捨て生分解性容器の製造方法は、籾殻、鋸屑、藁、パルプ及びそれらの2種以上の混合原料から選択された原料を粉砕した食物原料粉末を澱粉、エステル類、水、ロジンなどを混合して、所定の温度で所定の圧力で加圧した後、所定の圧力に減圧して製造する方法である。その容器の構成も図1aと図1bで概略に図示されたのと同じ技術である。
【特許文献１】韓国特許出願第1992-0027293号
【特許文献２】韓国特許出願第1999-0023045号
【特許文献３】韓国特許出願第2000-0000032号
【特許文献４】韓国特許出願第2000-0005153号
【特許文献５】韓国特許出願第2002-0022063号
【考案の開示】
【考案が解決しようとする課題】
【０００６】
前記特許文献１の製造方法は、非常に複雑な工程であり、製造工程で鋸屑の洗浄及び乾燥工程の時間が長く、さらに耐水性コーティングが必要であるため製造時間がさらに長くなる。また、このように製造された使い捨て容器は丈夫でなく簡単に破損するため実際の使用に適合しにくい問題がある。
【０００７】
前記特許文献２の製造工程では、籾殻や鋸屑の洗浄及び乾燥工程の時間が長いし、製造された使い捨て容器は丈夫ではなく簡単に破損され実際の使用には適合しにくい。また、前記の銀箔紙、包み紙などが簡単に生分解されない問題点があった。
【０００８】
前記特許文献３の製造方法は、非常に複雑な工程である。さらに、製造工程で籾殻及び藁、鋸屑の洗浄及び乾燥工程の時間が長い。さらに、肥料及びエサとして使われる籾殻及び藁は購入単価が高いため、製品の原価が上昇する問題がある。そして、簡単に破損するため実際の使用には適合しにくい。
【０００９】
前記特許文献４の製造方法は、非常に複雑な工程である。さらに、製造工程で籾殻などの洗浄及び乾燥工程の時間が長く、コーティングも必要であるため製造時間が長くなる。そして、このように製造されたものにおいても丈夫でなく簡単に破損され実際の使用には適合しにくい問題点がある。
【００１０】
前記特許文献５の製造方法は、非常に複雑な工程である。さらに、製造工程で籾殻、鋸屑、藁の洗浄及び乾燥工程の時間が長い。そして、籾殻、藁などは農薬の残留などの問題がある。そして、肥料及びエサとして使われる籾殻及び藁、輸入に依存するパルプは購入か価格が高いため同技術による製品の原価上昇の問題がある。そして、このように製造された造成物は丈夫でなく簡単に破損され実際の使用には適合しにくい問題点がある。
【００１１】
本考案は、使い捨てであるが材質が生分解されるため自然環境に有害でなく、製造工程で耐水性が優れて水分吸収性が低く、さらに製造工程でコーティングが必要ないため製造時間が短縮されるし、製造後製品の耐水性が優れているのでコーティングしなくても水分によって変形及び変質されないし、製品が剛性と弾性を持っており、高密度性によって丈夫であり、しかも人体に有益な使い捨て容器を提供することを目的とする。
【課題を解決するための手段】
【００１２】
請求項１の考案は、底面部と該底面部の縁側から立設し平面が環状の周面部とを一体に形成した容器を、パーム果房の殻房の繊維質粉末を含む分解性食物繊維粉末を加圧成形して形成したことを特徴とする生分解性使い捨て容器である。
【００１３】
請求項２の考案は、前記分解性食物繊維粉末を前記パーム果房の殻房の繊維質粉末のみによって形成することを特徴とする請求項１記載の生分解性使い捨て容器である。
【００１４】
請求項３の考案は、前記分解性食物繊維粉末に石英斑岩粉末を含んでいることを特徴とする請求項１または２記載の生分解性使い捨て容器である。
【００１５】
請求項４の考案は、前記分解性食物繊維粉末にトルマリン粉末を含んでいることを特徴とする請求項１〜３のいずれか１項に記載の生分解性使い捨て容器である。
【００１６】
請求項５の考案は、前記分解性繊維質粉末のサイズは50メッシュ乃至250メッシュのサイズであることを特徴とする請求項１〜４のいずれか１項に記載の生分解性使い捨て容器である。
【考案の効果】
【００１７】
請求項１の考案によれば、パーム果房の殻房は、多年生であるパームから毎年生産される果房の殻房であるため、容易に得ることができると共に、分解性食物繊維粉末に少なくとも含まれるパーム果房の殻房の繊維質粉末に残存する油分によって耐水性を向上することができる。
【００１８】
請求項２の考案によれば、分解性食物繊維粉末の全量をパーム果房の殻房の粉末としたのでパーム果房の殻房の繊維質粉末に残存する油分によって耐水性をいっそう向上することができる。
【００１９】
請求項３の考案によれば、容器は石英斑岩粉末を含有することによって、人体に有益な遠赤外線が発生して放出することができる。
【００２０】
請求項４の考案によれば、容器はトルマリン粉末を含有することによって、人体に有益なマイナスイオンを発生して放出を行うことができる。
【００２１】
請求項５の考案によれば、繊維質粉末の互いの適切な結合力を容易に得ることができる。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
本考案の実施例１を添付された図2aと図2bに従って説明する。但し、図2aと図2b及び後述する図3aと図3b、図4aと図4b、図5aと図5bでの各部分拡大図であるM3,M4,M5,M6,M7,M8,M9,M10は全部その部分拡大図の内部中心部の構成を概略的に図示したのである。
【００２４】
カップたる生分解性使い捨て容器（以下容器という）１は、底面部１Ａと該底面部１Ａの縁側から立設し平面が円形環状の周面部１Ｂを一体または一体的に形成したものであり、周面部１Ｂの上端には鍔部１Ｃが外側へ向けて形成されている。
【００２５】
容器１は、生分解性食物繊維粉末(10)を主成分として、それに澱粉とロジン(Rosin)とエステル類、ステアリル乳酸ナトリウムと水(いずれも図示せす)が所定の比率で構成された混合物を、所定の温度の加熱と所定の圧力の加圧で成形され作られる。そして、前記生分解性食物繊維粉末(10)は、カップ状の使い捨て容器としての形状と機能を維持できるように、耐水性及び剛性と弾性、高密度性がある繊維質としてパーム（palm）果房（椰子の実）の殻房の繊維質粉末(20)によって形成されている。
【００２６】
前記パーム果房の殻房の繊維質粉末(20)は同じサイズ又はほぼ同じサイズの粉末に形成されたものであり、該パーム果房の殻房の繊維質粉末(20)のサイズは50メッシュ(mesh)乃至250メッシュ(mesh)のサイズで作られている。前記パームはオイルパーム(oil palm)又はココナッツパーム(coconut palm)が望ましい。尚、メッシュは１インチの間に含まれる網の目の数をもって表されている。
【００２７】
このように、前記生分解性食物繊維粉末(10)は、使い捨て容器としての形状と機能を維持させる耐水性及び剛性と弾性、高密度性がある繊維質として生分解性食物繊維粉末であるパーム(palm)、即ち、オイルパーム(oil palm)又はココナッツパーム(coconut  palm)果房の殻房の繊維質粉末(20)で形成されるので、該繊維質粉末(20)に残存し耐水性を発揮する油分が容器（１）に含まれることとなる。したがって、殻房の繊維質粉末(20)は製造工程で耐水性が優れて水分吸収性は低いためその洗浄及び乾燥工程の時間が短くなり製造時間が短縮される。そして、パーム(palm)果房の殻房の繊維質粉末(20)の使い捨て容器（１）としての形状と機能の維持が可能とし、さらに前記耐水性によって、容器（１）に耐水性のコーティングが必要ないためコーティング工程が必要なくなり製造工程が短縮される。さらに、前記耐水性によって、コーティングが無くても水分によって伸縮されるなどの変形及び変質が無くなる。
【００２８】
尚、前記澱粉は結合体（バインダー）として使用されるし、生分解性であり、低下で購入できる。前記ロジン(Rosin)は天然樹脂で生分解性であり、造成物の結合力を増大させる。そして、耐水性が無い前記澱粉などの材質に耐水性を持つようにする。前記エステル類は保湿効果と乳化性で作業性を向上させるし、造成物に弾性を増加させる。また、成型時に消泡剤から離型剤としての機能もする。前記ステアリル乳酸ナトリウムは澱粉の安定性を増加させるし、造成物の均一配合を向上させる。そして、造成物の弾性も増加させる。
【００２９】
以上のように、前記実施例では底面部１Ａと該底面部１Ａの縁側から立設し平面が環状の周面部１Ｂを一体に形成した容器１を、パーム果房の殻房の繊維質粉末（20）が全量の分解性食物繊維粉末（10）を加圧成形して形成したことによって、前記パーム果房の殻房は、多年生であるパームから毎年生産される果房の殻房であるため、容易に得ることができる。従って、前記パーム果房の殻房はパームの葉やパームの皮より簡単に手に入る。そして、前記パーム果房の殻房は使い捨て容器としての形状と機能の維持が可能とする、耐水性と剛性と弾性及び高密度性を持つため、生分解性使い捨て容器（１）に適合な材質となる。特にパーム果房の殻房の繊維質粉末20に残存する油分によって耐水性をいっそう向上することができる。
【００３０】
しかも、容器（１）を形成する生分解性食物繊維粉末(10)は、材質が生分解されるため自然環境に有害でなく、製造工程で耐水性が優れて水分吸収性が低い、パーム果房の殻房の繊維質粉末（20）を利用するので、容器（１）の製造時における洗浄及び乾燥工程の時間を短くでき、そして、製造工程で耐水のためのコーティングが必要ないため製造時間が短縮される。また、製造後の容器（１）の耐水性が優れているので別途コーティングしなくても水分によって変形及び変質されないし、容器（１）が剛性と弾性を持っており、高密度性によって丈夫である。さらに、容器（１）は、-３０℃〜120℃まで耐える耐久力を持っているので電子レンジでも使用可能である。
【００３１】
また、前記繊維質粉末（20）のサイズは50メッシュ乃至250メッシュのサイズとすることで、前記パーム果房の殻房の繊維質粉末(20)の互いの適切な結合力を容易に得ることができる。したがって、既に使用されている使い捨て容器に比べて高密度性となって保温性が優れている。そして、廃棄時にも微生物、日光、紫外線などによって分解され土の改良材として使うのが可能であり、小さく粉砕してエサとしても使用可能な長所がある。
【実施例２】
【００３２】
以下に他の実施例について説明する。前記実施例１と同一部分には同一符号を付し、その詳細な説明を省略する。
【００３３】
実施例２は、図3aと図3bに図示されたように、容器１は生分解性食物繊維粉末(10)と澱粉とロジンとエステル類とステアリル乳酸ナトリウムと水（いずれも図示せず）が所定の比率で混合したものを、所定の温度の加熱と所定の圧力の加圧で成型して作られた生分解性使い捨て容器であって、前記生分解性食物繊維粉末(10)には使い捨て容器としての形状と機能を維持させる耐水性及び剛性と弾性、高密度性がある繊維質として生分解性食物繊維粉末であるパーム果房の殻房の繊維質粉末(20)が、前記生分解性食物繊維粉末(10)全体の75重量％乃至99重量％で含まれている。生分解性食物繊維粉末(10)における繊維質粉末(20)以外のものとしては、通常、藁、籾殻、鋸屑、パルプ、竹、サトウキビなどの使用があり得る。
【００３４】
そして、前記生分解性食物繊維粉末(10)におけるパーム果房の殻房の繊維質粉末(20)以外のものとして、すなわち生分解性食物繊維粉末(10)の残りは藁と籾殻と鋸屑の混合粉末（以下、混合粉末という）(11)によって形成されている。尚、前記混合粉末(11)で前記藁と籾殻と鋸屑の混合比率は必要に応じて適切に調節が可能である。また、前記パーム果房の殻房の繊維質粉末(20)のサイズは50メッシュ(mesh)乃至250メッシュ(mesh)のサイズで作られ、さらに前記パームはオイルパーム(oil palm)又はココナッツパーム(coconut palm)が望ましい。
【００３５】
以上のように、前記実施例２においては容器１を、パーム果房の殻房の繊維質粉末（20）を分解性食物繊維粉末（10）の一部としてこれを主成分とする原料を加圧成形して形成したことによって、多年生であるパームから毎年生産されるパーム(palm)果房の殻房を生分解性食物繊維粉末(10)の一部として有効利用することができ、さらにパーム果房の殻房の繊維質粉末（20）に残存する油分によって容器（１）の耐水性を向上することができると共に、耐水性に伴うコーティング工程処理を行う必要もない。
【００３６】
また、前記繊維質粉末（20）のサイズは50メッシュ乃至250メッシュのサイズとすることで、前記パーム(palm)果房の殻房の繊維質粉末(20)の互いの適切な結合力を容易に得ることができる。
【実施例３】
【００３７】
実施例３は、図4aと図4bに図示されたように、生分解性食物繊維粉末(10)と澱粉、ロジン、エステル類とステアリル乳酸ナトリウムと水（いずれも図示せず）が所定の比率に混合した原料を、所定の温度の加熱と所定の圧力の加圧で成型されて生分解性使い捨て容器（１）は作られる。前記生分解性食物繊維粉末(10)は使い捨て容器としての形状と機能を維持させる耐水性及び剛性と弾性、高密度性がある繊維質として生分解性食物繊維粉末であるパーム果房の殻房の繊維質粉末(20)によって形成されるものであり、前記パーム果房の殻房の繊維質粉末(20)は同じサイズ又はほぼ同じサイズの粉末であり、そのサイズは50メッシュ(mesh)乃至250メッシュ(mesh)のサイズで作られる。前記パームはオイルパーム(oil palm)又はココナッツパーム(coconut palm)が望ましい。
【００３８】
さらに、容器（１）には石英斑岩(Quartz Porphyry)粉末(30)と、トルマリン（Tourmaline:電気石）粉末(50)がそれぞれ所定の比率で設けられている。これはパーム果房の殻房の繊維質粉末(20)によって生分解性食物繊維粉末(10)の全量が形成される原料に、石英斑岩粉末(30)と、トルマリン粉末(50)がそれぞれ所定の比率で混合されて設けられている。
【００３９】
前記石英斑岩(Quartz Porphyry)粉末(30)は、火成岩の一つで石英と正長石の斑晶をもつ石英斑岩を粉末にしたものであり、一方トルマリン（Tourmaline:電気石）粉末(50)は、ホウ素のケイ酸塩からなる鉱物であるトルマリンを粉末にしたものであり、これら石英斑岩粉末(30)、トルマリン粉末(50)のそれぞれのサイズは前記パーム果房の殻房の繊維質粉末(20)のサイズと同じサイズ又はほぼ同じサイズが望ましく、さらに前記石英斑岩粉末(30)とトルマリン粉末(50)の前記比率はそれぞれ使い捨て容器全体の１重量％程度（即ち、0.5重量％乃至1.5重量％）が望ましい。
【００４０】
そして、容器（１）の製造方法は、パーム果房の殻房繊維質を所定のサイズの粉末にする繊維質粉末(20)の原料粉砕工程と澱粉など結合体粉末と石英斑岩粉末(30)とトルマリン粉末(50)を均等に混ぜる攪拌工程、所定の温度の加熱と、所定の圧力の加圧によって使い捨て容器（１）を成型するものである。
【００４１】
したがって、前記石英斑岩粉末(30)が前記所定の比率、即ち1重量％程度が設けられているので容器（１）の全体へ均一に分散されて遠赤外線が発生され放出される。そして、前記トルマリン粉末(50)は前記所定の比率、即ち1重量％程度が設けられているので容器（１）の全体へ均一に分散され遠赤外線とマイナスイオンが発生され放出される。石英斑岩粉末(30)は常温で遠赤外線を放出するので、人体有益な遠赤外線の発生及びその放出が可能である。トルマリン粉末(50)は常温で遠赤外線を放出するし、トルマリン粉末(50)は圧力を受けて変形される場合、又は熱を受けると＋電気と−電気に帯電して近くにある水分を電気分解してマイナスイオンを発生するため、人体に有益なマイナスイオンの発生又はその放出が可能である。
【００４２】
前記石英斑岩粉末(30)と前記トルマリン粉末(50)のそれぞれのサイズは前記パーム果房の殻房の繊維質粉末(20)のサイズと同じサイズ又はほぼ同じサイズの粉末になるため、粉末間の接着面積が極大化され、互いの結合力の極大化が可能である。
【００４３】
以上のように、実施例３においては、容器１を、パーム果房の殻房の繊維質粉末（20）を分解性食物繊維粉末（10）としてこれを主成分とする原料により形成したことによって、パーム果房の殻房を有効利用することができ、さらにパーム果房の殻房の繊維質粉末（20）に残存する油分によって容器（１）の耐水性を向上することなどができる。
【００４４】
さらに、請求項２に対応して、容器（１）は石英斑岩粉末を含有することによって、遠赤外線が発生して放出することができる。
【００４５】
また、容器（１）はトルマリン粉末を含有することによって、人体に有益なマイナスイオンを発生して放出を行うことができる。この結果、人体に有益な遠赤外線とマイナスイオンが放出され、人体に非常に有益な効果がある。
【実施例４】
【００４６】
実施例４は、図5aと図5bに図示されたように、生分解性食物繊維粉末(10)と澱粉、ロジン、エステル類とステアリル乳酸ナトリウムと水（いずれも図示せず）が所定の比率に設けられており、所定の温度の加熱と所定の圧力の加圧で成型されている。
【００４７】
前記生分解性食物繊維粉末(10)は使い捨て容器としての形状と機能を維持させる耐水性及び剛性と弾性、高密度性がある繊維質として生分解性食物繊維粉末であるパーム果房の殻房の繊維質粉末(20)が、前記生分解性食物繊維粉末(10)の75重量％乃至99重量％も受けられている。前記パームはオイルパーム又はココナッツパームが望ましい。そして前記生分解性食物繊維粉末(10)の残りは藁と籾殻と鋸屑の混合粉末（以下、混合粉末という）(11)が設けられている。前記混合粉末(11)で前記藁と籾殻と鋸屑の混合比率は必要に応じて適切に調節が可能である。
【００４８】
前記パーム果房の殻房の繊維質粉末(20)は同じサイズ又はほぼ同じサイズの粉末であり、そのサイズは50メッシュ(mesh)乃至250メッシュ(mesh)のサイズで作られる。
【００４９】
さらに、前記原料に石英斑岩粉末(30)とトルマリン粉末(50)がそれぞれ所定の比率で具備された生分解性使い捨て容器である。
【００５０】
前記石英斑岩粉末(30)とトルマリン粉末(50)のそれぞれのサイズは前記パーム果房の殻房の繊維質粉末(20)のサイズと同じサイズ又はほぼ同じサイズが望ましい。
【００５１】
前記石英斑岩粉末(30)とトルマリン粉末(50)の前記比率はそれぞれ使い捨て容器全体の１重量％程度（即ち、0.5重量％乃至1.5重量％）が望ましい。
【００５２】
通常の生分解性使い捨て容器（１）のための前記原料は、前記生分解性食物繊維粉末(10)  75重量％乃至80重量％と、澱粉10重量％乃至15重量％、ロジン1重量％乃至3重量％、エステル類1重量％乃至5重量％、ステアリル乳酸ナトリウム1重量％乃至3重量％、水適正比率を含む。
【００５３】
繊維質粉末(20)を除いた前記生分解性食物繊維粉末(10)は、通常、藁、籾殻、鋸屑、パルプ、竹、サトウキビなどの使用があり得る。また、原料に澱粉の沈殿を防止するためポリソルベート類を1重量％乃至3重量％を含む場合がある。さらに、原料には酸化防腐剤または及び漂白剤を混合するのも可能である。
【００５４】
以上のように、実施例４においては、容器１を、パーム果房の殻房の繊維質粉末（20）を分解性食物繊維粉末（10）の一部としてこれを主成分とする原料により形成したことによって、パーム果房の殻房を有効利用することができ、さらにパーム果房の殻房の繊維質粉末（20）に残存する油分によって容器（１）の耐水性を向上することなどができる。
【００５５】
さらに、容器（１）を形成する原料に石英斑岩粉末を含有することによって、遠赤外線が発生して放出することができ、また、容器（１）を形成する原料にトルマリン粉末を含有することによって、人体に有益なマイナスイオンを発生して放出を行うことができる。
【産業上の利用可能性】
【００５６】
以上のように本考案にかかる容器は、各種の用途に適用できる。本考案による生分解性使い捨て容器は現在広く使用される使い捨て紙コップ、使い捨て円形のお皿及びトレイ、カップラーメン容器、お弁の容器などに利用される。さらに、本考案による生分解性使い捨て容器は成型されたそのまま使用しても耐水性が十分である。そして、生分解性ワックスやシリコンコーティング剤でコーティングして耐水性をより強くして使用することもできる。
【図面の簡単な説明】
【００５７】
【図１ａ】従来技術による生分解性使い捨て容器の斜視図である。
【図１ｂ】図1aのA-A’線の断面図である。
【図２ａ】本考案の実施例１を示す斜視図である。
【図２ｂ】図2aのB-B’線の断面図である。
【図３ａ】本考案の実施例２を示す斜視図である。
【図３ｂ】図3aのC-C’線の断面図である。
【図４ａ】本考案の実施例３を示す斜視図である。
【図４ｂ】図4aのD-D’線の断面図である。
【図５ａ】本考案の実施例４を示す斜視図である。
【図５ｂ】図5aのE-E’線の断面図である。
【符号の説明】
【００５８】
1  生分解性使い捨て容器
１Ａ  底面部
１Ｂ  周面部
10  生分解性食物繊維粉末
11  混合粉末
20  パーム果房の殻房の繊維質粉末
30  石英斑岩粉末
50  トルマリン粉末
【図１ａ】
0003121383.tif 000003
【図１ｂ】
0003121383.tif 000004
【図２ａ】
0003121383.tif 000005
【図２ｂ】
0003121383.tif 000006
【図３ａ】
0003121383.tif 000007
【図３ｂ】
0003121383.tif 000008
【図４ａ】
0003121383.tif 000009
【図４ｂ】
0003121383.tif 000010
【図５ａ】
0003121383.tif 000011
【図５ｂ】
0003121383.tif 000012